(57)【要約】【課題】防水シートと改修用防水シートとの間に水分が溜まり難いようにする。【解決手段】防水下地１と、防水下地１上に敷設された断熱材２と、断熱材２よりも上側に配置された状態で防水下地１に固定された複数のシート固定具４と、断熱材２上に敷設され、シート固定具４に固定された防水シート３と、が備えられた屋根Ｒに、防水シート３を上側から覆い込むように改修用防水シート６が敷設された屋根防水改修システムであって、防水シート３と改修用防水シート６との間に、防水シート３と改修用防水シート６とを上下に仕切る改修用下地ボード５が備えられ、改修用下地ボード５は、屋根Ｒに固定され、改修用防水シート６は、改修用下地ボード５に接着されている。【選択図】図１
2018031218.tif 000002
【特許請求の範囲】
【請求項１】
防水下地と、前記防水下地上に敷設された断熱材と、前記断熱材よりも上側に配置された状態で前記防水下地に固定された複数のシート固定具と、前記断熱材上に敷設され、前記シート固定具に固定された防水シートと、が備えられた屋根に、前記防水シートを上側から覆い込むように改修用防水シートが敷設された屋根防水改修システムであって、
前記防水シートと前記改修用防水シートとの間に、前記防水シートと前記改修用防水シートとを上下に仕切る改修用下地ボードが備えられ、
前記改修用下地ボードは、前記屋根に固定され、
前記改修用防水シートは、前記改修用下地ボードに接着されている屋根防水改修システム。
【請求項２】
前記改修用下地ボードは、部分的に前記防水シートの上面に接着されている請求項１に記載の屋根防水改修システム。
【請求項３】
前記改修用下地ボードは、前記防水シートのうちの前記シート固定具に固定された部位の上面に接着されている請求項２に記載の屋根防水改修システム。
【請求項４】
複数の前記改修用下地ボードが、前記防水シート上に敷き詰められ、
隣り合う前記改修用下地ボードの境界部は、前記防水シートのうちの前記シート固定具に固定された複数の部位を繋ぐ直線上に位置する状態で、前記防水シートの上面に接着されている請求項３に記載の屋根防水改修システム。
【請求項５】
前記改修用下地ボードは、防水性素材で構成され、
複数の前記改修用下地ボードが、前記防水シート上に敷き詰められ、
隣り合う前記改修用下地ボードの境界部の全長に亘って、防水テープが貼付されている請求項１から４の何れか一項に記載の屋根防水改修システム。
【請求項６】
複数の前記改修用下地ボードが、前記防水シート上に敷き詰められ、
隣り合う前記改修用下地ボードの境界部において、隣り合う前記改修用下地ボードの上面に跨る状態で、板状の固定部材が備えられ、
前記固定部材は、前記防水下地に固定されている請求項１から５の何れか一項に記載の屋根防水改修システム。
【請求項７】
前記改修用防水シートは、前記改修用下地ボードの上面全域に接着されている請求項１から６の何れか一項に記載の屋根防水改修システム。
【請求項８】
前記改修用下地ボードは、多孔質かつ硬質な素材で構成されている請求項１から６の何れか一項に記載の屋根防水改修システム。
【発明の詳細な説明】
【技術分野】
【０００１】
本発明は、防水下地上に、複数のシート固定具を介して、防水シートが固定状態に敷設されている屋根に、前記防水シートを上側から覆い込むように改修用防水シートが敷設された屋根防水改修システムに関する。
【背景技術】
【０００２】
従来、この種の屋根防水改修システムとしては、防水シート上における、シート固定具が設置されている位置を外した箇所に、複数の改修用シート固定具が分散状態に設置され、各改修用シート固定具の上にわたる状態に改修用防水シートが接着固定されたものがあった（例えば、特許文献１参照）。
即ち、防水シートの上には、改修用防水シートが沿う状態に重ねられている。
【先行技術文献】
【特許文献】
【０００３】
【特許文献１】特開２０００−６４５２１号公報（図５）
【発明の概要】
【発明が解決しようとする課題】
【０００４】
防水シートと、その上に重ねられた改修用防水シートとの間には、例えば、防水シート改修時の降雨や朝露等による水分が残っていることがある。
上述した従来の屋根防水改修システムによれば、防水シートの全域（又はほぼ全域）において改修用防水シートが接触しているから、残った水分は蒸発せずに両シート間に溜まったままになる虞がある。
【０００５】
従って、本発明の目的は、上記問題点を解消し、防水シートと改修用防水シートとの間に水分が溜まり難い屋根防水改修システムを提供するところにある。
【課題を解決するための手段】
【０００６】
本発明の特徴は、防水下地と、前記防水下地上に敷設された断熱材と、前記断熱材よりも上側に配置された状態で前記防水下地に固定された複数のシート固定具と、前記断熱材上に敷設され、前記シート固定具に固定された防水シートと、が備えられた屋根に、前記防水シートを上側から覆い込むように改修用防水シートが敷設された屋根防水改修システムであって、前記防水シートと前記改修用防水シートとの間に、前記防水シートと前記改修用防水シートとを上下に仕切る改修用下地ボードが備えられ、前記改修用下地ボードは、前記屋根に固定され、前記改修用防水シートは、前記改修用下地ボードに接着されているところにある。
【０００７】
シート固定具は、例えば、円板形状や、帯板形状であることが多く、そのシート固定具を用いて防水シートを固定しているシート固定箇所は、他の部分より盛り上がっている。
本発明によれば、前記防水シートと前記改修用防水シートとの間に、前記防水シートと前記改修用防水シートとを上下に仕切る改修用下地ボードが備えられているから、防水シートと改修用防水シートとが直接に接触することのない状態に改修用防水シートを設置することができる。
【０００８】
そして、改修用下地ボードは、下地ボードとしての特性上、シート材に比べて剛性を有しているから、防水シートの上に設置した状態では、前記シート固定箇所の上で支持され、その周りの部分において、前記防水シートとの間に隙間を確保することができる。
その結果、防水シート改修時の降雨や朝露等による水分が防水シートの上に残っていたとしても、前記隙間の存在により水蒸気化が図れ、水分として溜まったままになることを防止できる。
【０００９】
比較として、従来例のような場合、防水シート間に水分が溜まったままになるから、その水分に接触している部材の劣化を進行させる危険性がある。
また、改修前の防水シートは、可塑剤が減少しているから、その上に改修用防水シートが直接的に接触していると、改修用防水シートの可塑剤が改修前の防水シート側に移り、改修用防水シートの劣化が進行する虞がある。
本発明の特徴によれば、これらの問題を未然に防止することができる。
【００１０】
また、改修用防水シートは、剛性を有する改修用下地ボードに接着されているから、安定した設置状態を維持できる。
更には、シート固定具を防水下地へ固定するのに、例えば、ビス等のネジ部材を使用しているような場合で、ビスが緩んで頭部が上方に突出してきたとしても、改修用下地ボードでガードすることができ、突出したビス頭部が改修用防水シートを下方から突き上げて破断することを防止できる。
従って、改修用防水シートによる防水性能を、持続させることができる。
【００１１】
本発明においては、前記改修用下地ボードは、部分的に前記防水シートの上面に接着されていると好適である。
【００１２】
本構成によれば、防水下地に固定されている防水シートに対して、改修用下地ボードが、部分的に接着固定されるから、安定した状態に改修用下地ボードや改修用防水シートを設置することができる。
【００１３】
本発明においては、前記改修用下地ボードは、前記防水シートのうちの前記シート固定具に固定された部位の上面に接着されていると好適である。
【００１４】
本構成によれば、改修用下地ボードを、シート固定具の直上で接着固定できるから、強力な固定力が確保でき、より安定した状態に改修用下地ボードや改修用防水シートを設置することができる。
【００１５】
本発明においては、複数の前記改修用下地ボードが、前記防水シート上に敷き詰められ、隣り合う前記改修用下地ボードの境界部は、前記防水シートのうちの前記シート固定具に固定された複数の部位を繋ぐ直線上に位置する状態で、前記防水シートの上面に接着されていると好適である。
【００１６】
本構成によれば、改修用下地ボードの縁部となる境界部を、固定度の高いシート固定具の複数にわたる状態に配置して、その部分で防水シートの上面に接着固定してあるので、改修用下地ボードの縁部をより強力に固定することができ、更に安定した状態に改修用下地ボードや改修用防水シートを設置することができる。
【００１７】
本発明においては、前記改修用下地ボードは、防水性素材で構成され、複数の前記改修用下地ボードが、前記防水シート上に敷き詰められ、隣り合う前記改修用下地ボードの境界部の全長に亘って、防水テープが貼付されていると好適である。
【００１８】
本構成によれば、隣り合う改修用下地ボードどうし、及び、それらの境界部に貼付された防水テープによって、防水層を形成することができる。従って、それらの上に設置される改修用防水シートによる防水効果と合わせて、二重の防水層を形成でき、より信頼性の高い屋根防水改修システムを提供することができる。
【００１９】
本発明においては、複数の前記改修用下地ボードが、前記防水シート上に敷き詰められ、隣り合う前記改修用下地ボードの境界部において、隣り合う前記改修用下地ボードの上面に跨る状態で、板状の固定部材が備えられ、前記固定部材は、前記防水下地に固定されていると好適である。
【００２０】
本構成によれば、防水下地に固定されている板状の固定部材の下面で、改修用下地ボードの境界部における上面を支持することができ、機械的な支持構造によって改修用下地ボードを防水下地に固定できるようになる。
従って、極めて安定した状態に改修用下地ボードや改修用防水シートを設置することができる。
【００２１】
本発明においては、前記改修用防水シートは、前記改修用下地ボードの上面全域に接着されていると好適である。
【００２２】
本構成によれば、改修用防水シートと改修用下地ボードとの一体性が向上する。
従って、風による揚力が屋根に作用しても、改修用防水シートだけが浮き上がるといったことを防止でき、より強力な屋根防水改修せステムを提供できる。
【００２３】
本発明においては、前記改修用下地ボードは、多孔質かつ硬質な素材で構成されていると好適である。
【００２４】
本構成によれば、改修用下地ボードが多孔質かつ硬質な素材であることによって、改修用下地ボードの重量が軽く、取扱性が向上すると共に、屋根重量の増加を抑制することができる。そして、例えば、改修用下地ボードの上に人が乗るような場合でも、荷重による座屈や踏み抜けを防止でき、安定した状態に改修用下地を形成することができる。
【図面の簡単な説明】
【００２５】
【図１】防水改修が実施された屋根を示す一部切欠き斜視図である。
【図２】防水改修が実施される前の屋根を示す一部切欠き斜視図である。
【図３】防水改修が実施される前の屋根の要部断面図である。
【図４】防水改修状況を示す断面図である。
【図５】防水改修状況を示す断面図である。
【図６】防水改修状況を示す断面図である。
【図７】防水改修状況を示す断面図である。
【発明を実施するための形態】
【００２６】
以下に本発明の実施の形態を図面に基づいて説明する。
【００２７】
図１は、本発明の屋根防水改修システムを採用した建物屋根の一例を示しており、図２は、防水改修を実施する前の屋根の状況を示している。
屋根Ｒは、例えば、デッキプレートや折板屋根等の金属下地（防水下地の一例）１の上に、ボード状の断熱材２が敷き並べられ、その断熱材２の上に、防水シート３が敷設して構成されている。
【００２８】
また、断熱材２の上には、縦横に間隔をあけた箇所に、円板状のシート固定具４が設置されており、このシート固定具４の上面に、防水シート３が接着固定されている。
因みに、シート固定具４は、金属製の円板で構成され、その中央部分に挿入したビス４ａを用いて金属下地１に固定されている（図３参照）。
【００２９】
断熱材２は、例えば、イソシアネートのフォーム材で形成してあり、無数の独立気泡が内在している。また、適度な強度と断熱性とを備えている。
【００３０】
シート固定具４への防水シート３の接着は、シート固定具４の上面に接着材を塗布して、その上に防水シート３を被せて接着する方法や、シート固定具４の上面に予めホットメルト接着層を設けておき、その上に防水シート３を被せた後、防水シート３の上から電磁誘導加熱によってシート固定具４を加熱して、その熱でホットメルト接着層を溶融させて接着する方法等によって実施することができる。
因みに、防水シート３、及び、後述する改修用防水シート６は、同一の素材を使用してあり、ここでは、塩化ビニル樹脂製のものを例に挙げている。
【００３１】
次に、以上のような屋根Ｒを対象として、防水改修を実施した例を挙げて説明する。
図４〜７に示すように、防水シート３の上面には、改修用下地ボード５が固定され、その改修用下地ボード５の上に、改修用防水シート６が接着されている。
【００３２】
改修用下地ボード５の固定は、防水シート３への接着固定と、板状の固定部材７を使用した押圧固定とによって実施されている。
上述の接着固定については、図４、図５に示すように、防水シート３のうち、シート固定具４に固定されている位置どうしを繋ぐ直線状のエリア８に（図１参照）、プライマー、及び、接着材を塗布して接着部９を形成し、その接着部９によって改修用下地ボード５を防水シート３に接着している。
【００３３】
上述の押圧固定については、図６、図７に示すような、固定部材７を使用して実施している。
固定部材７は、例えば、合成樹脂によって形成することができ、円板状の押圧部７ａと、押圧部７ａの円の中央部に設けられたビス挿入筒部７ｂと、ビス挿入筒部７ｂに挿入して金属下地１に螺進可能なビス７ｃとを設けて構成されている。固定部材７を、改修用下地ボード５の上に配置すると共に、ビス挿入筒部７ｂを、改修用下地ボード５から断熱材２に貫入させ、ビス７ｃをビス挿入筒部７ｂに挿入して螺進させることで、押圧部７ａの下面が、改修用下地ボード５の上面を押圧する状態に設置することができる。
【００３４】
因みに、改修用下地ボード５は、例えば、ポリプロピレン硬質発泡体で構成することができ、無数の独立気泡が内在しており、ボード単体での防水性を備えている。
また、隣接させる改修用下地ボード５どうしの境界部５Ａには、図１、図６、図７に示すように、防水テープ１０が貼着してある。従って、上に敷設される改修用防水シート６のみならず、一連の改修用下地ボード５によっても防水性を期待できる。
また、これら一連の改修用下地ボード５によって、下に位置する防水シート３と、上に位置する改修用防水シート６とを仕切ることが可能となり、両防水シート３、６が直接に接触することを防止して、相互間の可塑剤の移動を未然に防止することができる。
【００３５】
尚、改修用下地ボード５の配置に関しては、図１に示すように、境界部５Ａが、前記接着部９に沿って上に重なる状態に配置することで、境界部５Ａの目開きが生じ難く、より安定した状態に改修用下地ボード５を設置することができる。
更には、前記固定部材７も、改修用下地ボード５の境界部５Ａの位置に設置すると、更に安定した状態に改修用下地ボード５を設置することができる。
【００３６】
改修用下地ボード５の上には、全面に接着材１１を塗布して、改修用防水シート６が貼着してある。
以上のように、改修用下地ボード５、及び、改修用防水シート６を設置することで、図４、図５に示すように、シート固定具４の径方向外周側に位置する防水シート３と、その上に位置する改修用下地ボード５との間に、隙間Ｓを確保することができる。
その結果、防水シート３の改修時の降雨や朝露等による水分が防水シート３の上に残ったままになっていたとしても、前記隙間Ｓに蒸発することができ、水分が溜まったままになることを防止できる。
【００３７】
次に、防水シート改修の手順を簡単に説明する。
［１］図３に示す状態で、防水シート３の上面を高圧水を使用して洗浄する。
［２］防水シート３の所定の位置に、直線状に接着部９を設ける（図１、図４参照）。
［３］改修用下地ボード５を防水シート３の上に被せて、前記接着部９によって接着する。
［４］隣接する改修用下地ボード５の境界部５Ａに防水テープ１０を貼着する（図１、図６参照）。
［５］所定箇所に、固定部材７を設置して、改修用下地ボード５をより強力に固定する（図１、図６参照）。
［６］改修用下地ボード５の上の全面に接着材１１を塗布して、その上から、改修用防水シート６を被せて全面接着する（図１、図５、図７参照）。
【００３８】
当該実施形態の屋根防水改修システムによれば、改修用防水シート６と防水シート３との間に、改修用下地ボード５を介在させてあることで、両防水シート６，３どうしの直接接触が無くなると共に、両防水シート６，３間に前記隙間Ｓを形成できて、水分が溜まったままになることを防止できるようになる。
その結果、改修用防水シート６から可塑剤が抜けたり、品質が劣化したりするのを防止でき、耐久性の向上を図ることができる。
また、改修用防水シート６による防水性能と、一連の改修用下地ボード５と防水テープ１０とによる防水性能との両方を発揮でき、二重の防水層によって、より信頼性の高い屋根防水改修システムを提供することができる。
【００３９】
〔別実施形態〕
以下に他の実施の形態を説明する。
【００４０】
〈１〉  防水下地１は、先の実施形態で説明したデッキプレートや折板屋根等の金属下地に限るものではなく、瓦棒屋根等の金属下地や、コンクリート製や軽量気泡コンクリート製の下地や、木質下地等であってもよく、それらを含めて防水下地と総称する。
【００４１】
〈２〉  防水シート３や改修用防水シート６、及び、断熱材２、改修用下地ボード５は、先の実施形態で説明した素材によって構成されたものに限らず、適宜、変更することが可能である。
また、防水シート３と改修用防水シート６とは、必ずしも同一素材でなくてもよい。
【００４２】
〈３〉  改修用下地ボード５は、防水性を有する状態に構成されていることに限らず、防水性を備えてなくてもよい。また、隣接する改修用下地ボード５の境界部５Ａには、先の実施形態で説明した防水テープ１０を貼付する構成に限るものではない。
〈４〉  改修用下地ボード５は、ボードとしての形状を維持できる適度な強度を有していることが好ましい。要するに、改修用下地ボード５を防水シート３の上に設置した状態で、シート固定具４の径方向外周側に位置するエリアにおいて、改修用下地ボード５と、その下に位置する防水シート３との間に、隙間Ｓを確保できる保形性を有していることが好ましい。
【００４３】
〈５〉  防水シート３に対する改修用下地ボード５の接着位置は、先の実施形態で説明した隣接する改修用下地ボード５どうしの境界部５Ａに限るものではなく、他の部分で接着してあってもよい。そして、防水シート３のうちのシート固定具４に固定された部位以外の部分で接着してあってもよい。
また、固定部材７による固定を併用することに限らず、接着のみで改修用下地ボード５を屋根Ｒに固定してあってもよい。
また、防水シート３への接着をせずに、固定部材７のみで防水下地１に固定してあってもよい。
要するに、改修用下地ボード５は、屋根Ｒを構成する防水下地１、断熱材２、シート固定具４、防水シート３の何れかに固定してあればよい。
【００４４】
〈６〉  改修用防水シート６は、先の実施形態で説明したように改修用下地ボード５の上面全域に接着してあるものに限らず、局部的に接着してあったり、別の固定具を用いて前記屋根Ｒや、改修用下地ボード５に固定してあってもよい。
【００４５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００４６】
当該屋根防水改修システムは、陸屋根に替えて、片流れ屋根や切妻屋根や寄棟屋根や方形屋根等の傾斜屋根にも利用することができる。
【符号の説明】
【００４７】
１      金属下地（防水下地の一例）
２      断熱材
３      防水シート
４      シート固定具
５      改修用下地ボード
５Ａ    境界部
６      改修用防水シート
７      固定部材
１０    防水テープ
Ｒ      屋根
【図１】
2018031218.tif 000003
【図２】
2018031218.tif 000004
【図３】
2018031218.tif 000005
【図４】
2018031218.tif 000006
【図５】
2018031218.tif 000007
【図６】
2018031218.tif 000008
【図７】
2018031218.tif 000009